(57)【特許請求の範囲】
【請求項１】
互いに直角な第１及び第２方向に延び且つ交差する第１及び第２基準線により第１乃至第４検出領域に分割された検出面を有し、光ディスクの記録面上に光スポットを結像させるためのフォーカシング制御に用いられる光検出器と、ここで、前記第１基準線により前記第１及び第２領域が分割されると共に前記第３及び第４領域が分割され、前記第２基準線により前記第１及び第３領域が分割されると共に前記第２及び第４領域が分割されることと、
前記第１及び第２方向と交差する第３方向に沿って前記光ディスクから前記光検出器に進む反射光ビームを、前記第１基準線に沿って、前記第１及び第２領域に投射する第１ビーム部分と、前記第３及び第４領域に投射する第２ビーム部分とに分割するための波面分割光学素子と、
前記光検出器を前記波面分割光学素子に対して相対的に固定し、且つ前記第２及び第３方向において前記検出面の位置を調節可能とする支持機構と、
を具備し、前記第１方向に延びる前記第１基準線に沿った前記第１及び第２ビーム部分間の距離が、前記第１基準線に沿った前記検出面の長さの約１／２に設定されることを特徴とする光ディスクプレーヤの光ヘッド装置。
【請求項２】
互いに直角な第１及び第２方向に延び且つ交差する第１及び第２基準線により第１乃至第４検出領域に分割された検出面を有し、光ディスクの記録面上に光スポットを結像させるためのフォーカシング制御に用いられる光検出器と、ここで、前記第１基準線により前記第１及び第２領域が分割されると共に前記第３及び第４領域が分割され、前記第２基準線により前記第１及び第３領域が分割されると共に前記第２及び第４領域が分割されることと、
前記第１及び第２方向と交差する第３方向に沿って前記光ディスクから前記光検出器に進む反射光ビームを、前記第１基準線に沿って、前記第１及び第２領域に投射する第１ビーム部分と、前記第３及び第４領域に投射する第２ビーム部分とに分割するための波面分割光学素子と、
前記光検出器を前記波面分割光学素子に対して相対的に固定し、且つ前記第２及び第３方向において前記検出面の位置を調節可能とする支持機構と、
を具備し、前記第３方向に対して前記第１及び第２ビーム部分がなす角度を夫々θ１、θ２、前記第３方向における前記波面分割光学素子と前記検出面との間の距離をＬとした時、Ｌ×ｔａｎ（θ１−θ２）が前記第１方向に延びる前記第１基準線に沿った前記検出面の長さの約１／２に設定されることを特徴とする光ディスクプレーヤの光ヘッド装置。
【請求項３】
前記支持機構は、前記第２及び第３方向においてのみ前記検出面の位置を調節可能とすることを特徴とする請求項１または２に記載の光ディスクプレーヤの光ヘッド装置。
【請求項４】
前記第２及び第３方向が互いに直角であり且つ前記第２及び第３方向を含む平面が前記第１方向に対して直角であることを特徴とする請求項１乃至３のいずれかに記載の光ディスクプレーヤの光ヘッド装置。
【請求項５】
前記支持機構が、前記光検出器を保持するホルダと、前記ホルダを載置するための支持面を有する支持体とを具備し、前記支持面が前記反射光ビームの光軸と平行な平面により規定され、前記支持面上において前記ホルダが移動されることにより前記検出面の位置調整が行われることを特徴とする請求項３または４に記載の光ディスクプレーヤの光ヘッド装置。
【請求項６】
前記光ディスクの前記記録面上において前記光スポットとトラックとを整合させるためのトラッキング制御に用いられる別の光検出器と、前記別の光検出器を支持する別の支持面とを更に具備し、前記支持面と前記別の支持面とは平行であることを特徴とする請求項５に記載の光ディスクプレーヤの光ヘッド装置。
【発明の詳細な説明】
【０００１】
【発明の属する技術分野】
本発明は光ディスクに対して情報の再生及び／または記録処理を行うための光ディスクプレーヤに使用される光ヘッド装置に関する。
【０００２】
【従来の技術】
光ディスクに記録された情報を光学的に読み取って再生したり、光ディスクに情報を光学的に記録するため、光ディスクプレーヤが使用される。この種の光ディスクプレーヤは、光ディスクを回転駆動するためのターンテーブルと、ターンテーブル上の光ディスクに光ビームを照射すると共に光ディスクからの反射光ビームを取込むための光ヘッド装置とを有する。
【０００３】
光ヘッド装置において、光ディスクからの反射光ビームは単数、若しくは複数の光検出器に導かれ、電気信号に変換される。この様にして得られた電気信号に基づいて、光ディスクの記録面上の情報の再生だけでなく、記録面上に形成される光スポットのトラッキング制御及びフォーカシング制御が行われる。ここで、トラッキング制御とは、記録面上において光スポットとトラックとを整合させるための制御であり、フォーカシング制御とは、記録面上に光スポットを結像させるための制御である。なお、通常、トラッキング制御及びフォーカシング制御は、異なる光検出器を利用して行われている。
【０００４】
この種の光検出器においては、入射してくる反射光ビームに対して検出領域を整合させるため、その位置決め設定が重要となる。この際、従来の光ヘッド装置においては、例えば、特開平４−１６７２３２（特願平２−２９３８６１）に開示されるように、反射光ビームの光軸方向（Ｚ方向）及び光軸方向と直角な平面内の互いに直角な２軸方向（Ｘ、Ｙ方向）において光検出器の位置調節を行っている。
【０００５】
【発明が解決しようとする課題】
即ち、上述の従来の光ヘッド装置の場合、３軸方向の全てにおいて光検出器の位置調節を行っている。この様な位置調節は、光検出器の位置決めを高精度に行うことが可能となる反面、調節作業に時間が掛かると共に、調節後に温度等の条件の変化により光検出器の位置ずれが生じやすいという問題を抱えている。
【０００６】
本発明はかかる問題点に鑑みてなされたものであり、フォーカシング制御を行うための光検出器（フォーカスＰＤ）に着目し、その支持機構を改良することにより、フォーカスＰＤの位置調節作業が短時間で行うことができると共に、位置調節後にフォーカスＰＤの位置ずれが生じにくい、光ディスクプレーヤの光ヘッド装置を提供することを目的とする。
【０００７】
【課題を解決するための手段】
本発明の第１の視点は、光ディスクプレーヤの光ヘッド装置において、
第１方向に対して直角な第２方向に延びる基準線を挟んで前記第１方向に沿って並設された２つの検出領域を含む検出面を有し、光ディスクの記録面上に光スポットを結像させるためのフォーカシング制御に用いられる光検出器と、
第３方向に沿って前記光ディスクから前記光検出器に進む反射光ビームを、前記２つの検出領域に夫々投射する第１及び第２ビーム部分に分割するための波面分割光学素子と、
前記第３方向と平行で且つ前記第１方向と交差する平面内の、互いに直角な２つの軸方向においてのみ前記検出面の位置が調節可能となるように前記光検出器を支持するための支持機構と、
を具備することを特徴とする。
【０００８】
本発明の第２の視点は、光ディスクプレーヤの光ヘッド装置において、
互いに直角な第１及び第２方向に延び且つ交差する第１及び第２基準線により第１乃至第４検出領域に分割された検出面を有し、光ディスクの記録面上に光スポットを結像させるためのフォーカシング制御に用いられる光検出器と、ここで、前記第１基準線により前記第１及び第２領域が分割されると共に前記第３及び第４領域が分割され、前記第２基準線により前記第１及び第３領域が分割されると共に前記第２及び第４領域が分割されることと、
第３方向に沿って前記光ディスクから前記光検出器に進む反射光ビームを、前記第１基準線に沿って、前記第１及び第２領域に投射する第１ビーム部分と、前記第３及び第４領域に投射する第２ビーム部分とに分割するための波面分割光学素子と、
前記第３方向と平行で且つ前記第１方向と交差する平面内の、互いに直角な２つの軸方向においてのみ前記検出面の位置が調節可能となるように前記光検出器を支持するための支持機構と、
を具備することを特徴とする。
【０００９】
本発明の第３の視点は、第１または２の視点に係る光ディスクプレーヤの光ヘッド装置において、前記互いに直角な２つの軸方向が、前記第２及び第３方向からなることを特徴とする。
【００１０】
本発明の第４の視点は、第３の視点に係る光ディスクプレーヤの光ヘッド装置において、前記第２及び第３方向を含む平面が前記第１方向に対して直角であることを特徴とする。
【００１１】
本発明の第５の視点は、第１乃至４の視点のいずれかに係る光ディスクプレーヤの光ヘッド装置において、前記支持機構が、前記光検出器を保持するホルダと、前記ホルダを載置するための支持面を有する支持体とを具備し、前記支持面が前記反射光ビームの光軸と平行な平面により規定され、前記支持面上において前記ホルダが移動されることにより前記検出面の位置調整が行われることを特徴とする。
【００１２】
本発明の第６の視点は、第５の視点に係る光ディスクプレーヤの光ヘッド装置において、前記検出面と前記支持面とが互いに直角であることを特徴とする。
本発明の第７の視点は、第５または６の視点に係る光ディスクプレーヤの光ヘッド装置において、前記光ディスクの前記記録面上において前記光スポットとトラックとを整合させるためのトラッキング制御に用いられる別の光検出器と、前記別の光検出器を支持する別の支持面とを更に具備し、前記支持面と前記別の支持面とは平行であることを特徴とする。
【００１３】
本発明の第８の視点は、光ディスクプレーヤの光ヘッド装置において、
互いに直角な第１及び第２方向に延び且つ交差する第１及び第２基準線により第１乃至第４検出領域に分割された検出面を有し、光ディスクの記録面上に光スポットを結像させるためのフォーカシング制御に用いられる光検出器と、ここで、前記第１基準線により前記第１及び第２領域が分割されると共に前記第３及び第４領域が分割され、前記第２基準線により前記第１及び第３領域が分割されると共に前記第２及び第４領域が分割されることと、
第３方向に沿って前記光ディスクから前記光検出器に進む反射光ビームを、前記第１基準線に沿って、前記第１及び第２領域に投射する第１ビーム部分と、前記第３及び第４領域に投射する第２ビーム部分とに分割するための波面分割光学素子と、
を具備し、前記第１基準線に沿った前記第１及び第２ビーム部分間の距離が、前記第１基準線に沿った前記検出面の長さの約１／２に設定されることを特徴とする。
【００１４】
本発明の第９の視点は、光ディスクプレーヤの光ヘッド装置において、
互いに直角な第１及び第２方向に延び且つ交差する第１及び第２基準線により第１乃至第４検出領域に分割された検出面を有し、光ディスクの記録面上に光スポットを結像させるためのフォーカシング制御に用いられる光検出器と、ここで、前記第１基準線により前記第１及び第２領域が分割されると共に前記第３及び第４領域が分割され、前記第２基準線により前記第１及び第３領域が分割されると共に前記第２及び第４領域が分割されることと、
第３方向に沿って前記光ディスクから前記光検出器に進む反射光ビームを、前記第１基準線に沿って、前記第１及び第２領域に投射する第１ビーム部分と、前記第３及び第４領域に投射する第２ビーム部分とに分割するための波面分割光学素子と、
を具備し、前記第３方向に対して前記第１及び第２ビーム部分がなす角度を夫々θ１、θ２、前記第３方向における前記波面分割光学素子と前記検出面との間の距離をＬとした時、Ｌ×ｔａｎ（θ１−θ２）が前記第１基準線に沿った前記検出面の長さの約１／２に設定されることを特徴とする。
【００１５】
本発明の第１０の視点は、第８または９の視点に係る光ディスクプレーヤの光ヘッド装置において、前記光検出器が、前記第２及び第３方向においてのみ前記検出面の位置を調節可能とする支持機構を介して、前記波面分割光学素子に対して相対的に固定されることを特徴とする。
【００１６】
本発明の第１１の視点は、第１０の視点に係る光ディスクプレーヤの光ヘッド装置において、前記第２及び第３方向を含む平面が前記第１方向に対して直角であることを特徴とする。
【００１７】
【発明の実施の形態】
図１は、本発明の実施の形態に係る光ヘッド装置の平面と、同光ヘッド装置を有し、光ディスクに対して情報の再生及び記録処理を行うための光ディスクプレーヤの信号処理部とを組合わせて示す図である。図２（ａ）は図１図示の光ヘッド装置の縦断側面図である。
【００１８】
この光ディスクプレーヤは、光ディスクを回転駆動するためのターンテーブル（図示せず）とターンテーブル上の光ディスクＯＤにレーザビームを照射すると共に光ディスクＯＤからの反射レーザビームを取込むための光ヘッド装置２２とを有する。ターンテーブルは、ベースプレートに支持されたスピンドルモータ  （図示せず）により駆動される。光ヘッド装置２２はベースプレート上を移動可能なピックアップ即ち可動光学部２４と、ベースプレートに固定された固定光学部２６とを有する。
【００１９】
より具体的には、ピックアップ２４には、図２（ａ）図示の如く、立上げミラー３０及び対物レンズ３２が配設される。対物レンズ３２により、固定光学部２６からのレーザビームが光ディスクの記録面上に結像されると共に記録面で反射された反射レーザビームが取り込まれる。対物レンズ３２はレンズホルダ３４に保持され、レンズホルダ３４はアクチェータ３６に取付けられる。アクチェータ３６にはフォーカシングコイル及びトラッキングコイルが配設される。フォーカシングコイルにより、光ディスクの記録面と直交する方向即ち対物レンズ３２の光軸方向に対物レンズ３２が位置調節可能となる。トラッキングコイルにより、光ディスクの記録面上のトラック（グルーブ）を横切る方向に対物レンズ３２が位置調節可能となる。
【００２０】
アクチェータ３６はキャリッジ３８に搭載され、キャリッジ３８は一対のガイド３９に摺動可能に取付けられる。ガイド３９は、光ディスクＯＤを回転させるためのターンテーブルと固定光学部２６との間で、ターンテーブル上の半径方向に沿って延設される。また、ガイド３９を挟んで一対のリニアモータ（図示せず）が配設され、リニアモータによりピックアップ２４がガイド３９に沿って駆動される。従って、光ディスクＯＤの回転とピックアップ２４の直線移動とにより、光ディスクの全記録面を対物レンズ３２により走査することが可能となる。
【００２１】
ピックアップ２４にレーザビームを送出すための固定光学部２６には、レーザビームの光源５２、反射レーザビームを電気信号に変換するための第１及び第２光検出器５４、５６等が配設される。固定光学部２６の光源５２は、例えば、ビーム断面形状が楕円形で且つ発散性であると共に、一方向に振動する即ち直線偏光のレーザビームを発振する半導体レーザからなる。光源５２から発振されたレーザビームは、偏光ビームスプリッタユニット５８、コリメータレンズ６０、１／４波長板６２を順に通過し、ピックアップ２４に向けて送出される。
【００２２】
偏光ビームスプリッタユニット５８は、１／４波長板６２と協働して、光源５２から光ディスクに向かうレーザビームと、光ディスクからの反射レーザビームとを分離する。例えば、光源５２からのレーザビームの直線偏光がＳ偏光からなり、光ディスクからの反射レーザビームの直線偏光がＰ偏光からなるとすると、偏光ビームスプリッタユニット５８は、Ｐ偏光成分を透過し、Ｓ偏光成分を反射する特性を有するように設定される。即ち、偏光ビームスプリッタユニット５８のプリズム面５８ａは、光源５２からのレーザビームを反射し、９０°方向を変えて光ディスクに向けて案内する一方、光ディスクからの反射レーザビームを透過させる。
【００２３】
１／４波長板６２は直線偏光のレーザビームを楕円偏光に、また楕円偏光のレーザビームを直線偏光に変える。即ち、偏光ビームスプリッタユニット５８から光ディスクに向かうＳ偏光のレーザビームは、１／４波長板６２を通過すると右旋回の楕円偏光となる。右旋回の楕円偏光のレーザビームは光ディスクで反射され、左旋回の反射レーザビームとして戻ってくる。左旋回の反射レーザビームは、１／４波長板６２を通過すると、Ｐ偏光となる。従って、偏光ビームスプリッタユニット５８において、光源５２からのＳ偏光のレーザビームと、光ディスクからのＰ偏光の反射レーザビームとを分離することが可能となる。
【００２４】
コリメータレンズ６０は、光源５２からの発散性のレーザビームを平行レーザビームに変換する。
偏光ビームスプリッタユニット５８と第１及び第２光検出器５４、５６との間には、ハーフミラー６４が配設される。ハーフミラー６４により、偏光ビームスプリッタユニット５８を透過した反射レーザビームが、概ね等比率で分割され、第１及び第２光検出器５４、５６に送られる。
【００２５】
第１光検出器５４は、光ディスクの記録面上に記録された情報の再生と、記録面上において光スポットとトラックとを整合させるためのトラッキング制御と、に使用される。トラッキング制御は、アクチェータ３６のトラッキングコイルを介して、対物レンズ３２を、光ディスクの記録面上のトラックを横断する方向に位置調節することにより行われる。
【００２６】
また、第１光検出器５４に隣接して、レーザビームの光強度の変化をモニタするためのモニタ光検出器６６が配設される。モニタ光は、光源５２からレーザビームの一部を１／４波長板６２の入射面で反射させることにより得られる。モニタ光検出器の検出信号は、光源５２から発振されるレーザビームの光強度を一定に維持するためのオートパワー制御（ＡＰＣ）に使用される。
【００２７】
ハーフミラー６４と第２光検出器５６との間には、後述の態様で、ダブルナイフエッジ法でフォーカスエラーを検出するため、波面分割光学素子であるホログラム回折プレート６８が配設される。即ち、第２光検出器５６は、光ディスクの記録面上に光スポットを結像させるためのフォーカシング制御に使用される。フォーカシング制御は、アクチェータ３６のフォーカシングコイルを介して、対物レンズ３２をその光軸方向に位置調節することにより行われる。
【００２８】
信号処理部１１には、信号処理部１１を含む光ディスクプレーヤ全体を電力を付与するための電源と、主制御装置としてＣＰＵ１２とが配設される。ＣＰＵ１２には、読みだし専用メモリ（ＲＯＭ）１３及びメモリユニット１４が接続される。ＲＯＭ１３には、ＣＰＵ１２を動作させるためのイニシャルデータが記憶される。メモリユニット１４は、外部から供給される記録すべき情報、光ディスクから読み出されたデータ、及びホストコンピュータ（図示せず）等を介して入力されるデータを一時的に記憶するための複数のメモリを含む。
【００２９】
また、ＣＰＵ１２には、レーザ駆動回路１５、記録レーザビーム発生回路（レーザ変調回路）１６、及びＡＰＣ回路１７が接続される。レーザ駆動回路１５は、所定の光強度を有するレーザビームを発生するように光源５２を駆動する。記録レーザビーム発生回路１６は、メモリユニット１４に記憶された記録すべき情報に応じて光源５２から出射されるレーザビームを強度変調する。ＡＰＣ回路１７は、モニタ光検出器６６からの検出信号を受け、光源５２から発振されるレーザビームの光強度を一定に維持するようにレーザ駆動回路１５を制御する。
【００３０】
更に、ＣＰＵ１２には、トラッキング制御回路１８及びフォーカシング制御回路１９が接続される。トラッキング制御回路１８は、第１光検出器５４からの検出信号に基づいて、アクチェータ３６のトラッキングコイルへ供給する駆動電流を決定することにより、光ディスクの記録面上のトラックを横断する方向における対物レンズ３２の移動量を制御する。フォーカシング制御回路１９は、第２光検出器５６からの検出信号に基づいて、アクチェータ３６のフォーカシングコイルへ供給する駆動電流を決定することにより、光軸方向における対物レンズ３２の移動量を規定する。
【００３１】
図３（ａ）は第１光検出器５４の検出面を示す正面図、図３（ｂ）は第１光検出器５４からトラッキング制御回路１８に供給される電気信号の流れを示す概略図である。
【００３２】
図３（ａ）図示の如く、第１光検出器５４の検出面は、水平基準線ＴＨで第１及び第２検出領域５４ａ、５４ｂに分割される。第１及び第２検出領域５４ａ、５４ｂには、光ディスクのグルーブＧによる回折レーザビーム成分を含む反射レーザビームＲＢが投影される。第１及び第２検出領域５４ａ、５４ｂはフォトダイオードにより夫々構成される。第１及び第２検出領域５４ａ、５４ｂは、投影された光ビームを、各領域内における光スポットの大きさに対応して、電気信号に変換する。
【００３３】
第１及び第２検出領域５４ａ、５４ｂの検出電気信号は、これら領域を構成するフォトダイオードのアノードから取り出された後、増幅器７２及び７４により所定のレベルまで増幅される。続いて、演算器７６により、「増幅器７２（第１検出領域５４ａ）の出力  −  増幅器７４（第２検出領域５４ｂ）の出力」として、トラックずれ量が算出され、トラッキング制御回路１８に供給される。
【００３４】
また、第１及び第２検出領域５４ａ、５４ｂを構成するフォトダイオードのカソードの出力は、別の演算増幅器７８により加算される。この加算値は、光ディスクのピットに記録されている情報として、ＣＰＵ１２やメモリユニット１４に供給される。
【００３５】
図４（ａ）は、波面分割光学素子即ちホログラム回折プレート６８のホログラムパターンと反射レーザビームとの関係を示す正面図である。図４（ｂ）は第２光検出器５６の受光面を示す正面図、図４（ｃ）は第２光検出器５６からフォーカシング制御回路１９に供給される電気信号の流れを示す概略図である。
【００３６】
図４（ｂ）図示の如く、第２光検出器５６の受光面は、互いに直交する中心線Ｏ１及びＯ２の交点を光ディスク装置２２内の反射レーザビームの光軸（即ち、ホログラム回折プレート６８に入射する反射レーザビームの光軸）が直角に貫通するように設定される。第２光検出器５６の受光面の上部には、垂直基準線ＦＶ及び水平基準線ＦＨで分割された第１乃至第４検出領域５６ａ〜５６ｄを有する上側検出面Ａ１が配設される。第１乃至第４検出領域５６ａ〜５６ｄはフォトダイオードにより夫々構成される。第１乃至第４検出領域５６ａ〜５６ｄは、投影された光ビームを、各領域内における光スポットの大きさに対応して、電気信号に変換する。
【００３７】
なお、第２光検出器５６の受光面の下部にも、中心線Ｏ２を中心として上側検出面Ａ１の第１乃至第４検出領域５６ａ〜５６ｄと対象に、これら領域と等価な４つの領域５６ｅ〜５６ｈからなる下側検出面Ａ２を配設することができる。
【００３８】
図４（ｃ）図示の如く、第１乃至第４検出領域５６ａ〜５６ｄの検出電気信号は、これら領域を構成するフォトダイオードのアノードから取り出された後、増幅器８１〜８４により所定のレベルまで増幅される。続いて、演算器８５により第１及び第３検出領域５６ａ、５６ｃの信号が加算されると共に、演算器８６により第２及び第４検出領域５６ｂ、５６ｄの信号が加算される。更に、演算器８７により、「演算器８５（第１及び第３検出領域５６ａ、５６ｃ）の出力  −  演算器８６（第２及び第４検出領域５６ｂ、５６ｄ）の出力」として、フォーカスずれ量が算出され、フォーカシング制御回路１９に供給される。
【００３９】
図４（ａ）図示の如く、ホログラム回折プレート６８のホログラムパターンは、第１乃至第４パターン部分６８ａ〜６８ｄからなる。第１及び第２パターン部分６８ａ、６８ｂは、反射レーザビームＲＢの中心から左右同じ幅のビーム部分ＢＰ１、ＢＰ２が通過するように形成される。第３及び第４パターン部分６８ｃ、６８ｄは、ビーム部分ＢＰ１、ＢＰ２より外側の反射レーザビームＲＢの左右外側部分が通過するように形成される。
【００４０】
第１パターン部分６８ａは、ビーム部分ＢＰ１の＋１次回折光が、第２光検出器５６の上側検出面Ａ１の第１及び第２検出領域５６ａ、５６ｂに向うように狭いピッチを有する。第２パターン部分６８ｂは、ビーム部分ＢＰ２の＋１次回折光が、第２光検出器５６の上側検出面Ａ１の第３及び第４検出領域５６ｃ、５６ｄに向かうように広いピッチを有する。
【００４１】
第３及び第４パターン部分６８ｃ、６８ｄは、反射レーザビームＲＢの左右外側部分の±１次回折光が、第２光検出器５６の上側及び下側検出面Ａ１、Ａ２から外れるように設定されたピッチを有する。即ち、第３及び第４パターン部分６８ｃ、６８ｄは、反射レーザビームＲＢの左右外側部分を、フォーカシング制御のための情報として使用しないようにするための回折パターン部分である。この様にすることにより、フォーカシング制御の感度を適当なレベルに設定することが可能となる。
【００４２】
なお、第１及び第２パターン部分６８ａ、６８ｂによるビーム部分ＢＰ１、ＢＰ２の−１次回折光が向かう第２光検出器５６の受光面上の位置は、前述の、第２光検出器５６の受光面の下部に配設可能な４つの領域５６ｅ〜５６ｈからなる下側検出面Ａ２に対応する。また、第２光検出器５６の受光面の中心線Ｏ１、Ｏ２の交点には、反射レーザビームの０次光成分が結像される。
【００４３】
光ディスクの記録面に対して光スポットの焦点が合っている時、狭いピッチの第１パターン部分６８ａを通過したビーム部分ＢＰ１は、第１及び第２検出領域５６ａ、５６ｂ間で垂直基準線ＦＶ上にスポットとして投射される。また、この時、同様に、広いピッチの第２パターン部分６８ｂを通過したビーム部分ＢＰ２は、第３及び第４検出領域５６ｃ、５６ｄ間で垂直基準線ＦＶ上にスポットとして投射される。このため、演算器８７における「演算器８５（第１及び第３検出領域５６ａ、５６ｃ）の出力  −  演算器８６（第２及び第４検出領域５６ｂ、５６ｄ）の出力」は実質的に零となり、焦点が合っていることが分かる。
【００４４】
しかし、例えば、光ディスクの記録面の手前で光スポットが焦点を結んだ時、図４（ｂ）図示の如く、第１及び第２パターン部分６８ａを通過したビーム部分ＢＰ１、ＢＰ２は、夫々第１及び第３検出領域５６ａ、５６ｃ内に半月状に投射される。このため、演算器８７における「演算器８５（第１及び第３検出領域５６ａ、５６ｃ）の出力  −  演算器８６（第２及び第４検出領域５６ｂ、５６ｄ）の出力」は正の或る値となり、焦点が手前にずれていることが分かる。
【００４５】
逆に、光ディスクの記録面より後ろで光スポットが焦点を結んだ時、第１及び第２パターン部分６８ａを通過したビーム部分ＢＰ１、ＢＰ２は、夫々第２及び第４検出領域５６ｂ、５６ｄ内に半月状に投射される。このため、演算器８７における、「演算器８５（第１及び第３検出領域５６ａ、５６ｃ）の出力  −  演算器８６（第２及び第４検出領域５６ｂ、５６ｄ）の出力」は負の或る値となり、焦点が奥にずれていることが分かる。
【００４６】
次に、第１及び第２光検出器５４、５６、並びにホログラム回折プレート６８の位置関係等について説明する。
光ヘッド装置２２の固定光学部２６は矩形のケーシング４２により包囲される。ケーシング４２は、硬質なケーシング本体４３と、固定ねじ４５によりケーシング本体４３に天板として取付けられた硬質な回路基板４４とを有する。回路基板４４は、ケーシング本体４３の上端の支持面４３ａ上に載置される。支持面４３ａは、固定光学部２６内の光学系の光軸（光源５２からのレーザビームの光軸、及び光ディスクからの反射レーザビームの光軸）を含む面と平行となるように、水平面により規定される。回路基板４４は、実質的に一様な厚さを有し、従って、回路基板４４の上面も水平となっている。
【００４７】
第１の光検出器５４及びモニタ光検出器６６は、それらの検出面が水平で下向きとなるように、回路基板４４の上面に取付けられる。ハーフミラー６４で反射される反射レーザビームに対する第１光検出器５４の位置決めは、ケーシング本体４３に対する回路基板４４の固定位置を調節することにより可能となる。より具体的には、固定ねじ４５を通すために形成された孔はねじ４５よりも大きいため、ねじ４５を緩めた状態で回路基板４４を支持面４３ａ上でスライドさせることにより、その位置を調節することができる。
【００４８】
一方、第２光検出器５６は、垂直部４６ａ及び水平部４６ｂを有するホルダ４６の垂直部４６ａに固定される。第２光検出器５６の検出面は、固定光学部２６内の反射レーザビームの光軸に対して直角となるように設定される。ホルダ４６はその水平部４６ｂを介して、ケーシング本体４３の上端の支持面４３ｂ上に載置され、固定ねじ４７により取付けられる。第２光検出器５６と回路基板４４とはフレキシブル回路基板４８により回路的に接続される。
【００４９】
支持面４３ｂは、支持面４３ａと同様、水平面により規定される。ハーフミラー６４を透過する反射レーザビームに対する第２光検出器５５の位置決めは、ケーシング本体４３に対するホルダ４６の固定位置を調節することにより可能となる。より具体的には、固定ねじ４７を通すためにホルダ４６に形成された孔はねじ４７よりも大きいため、ねじ４７を緩めた状態でホルダ４６を支持面４３ｂ上でスライドさせることにより、その位置を調節することができる。
【００５０】
即ち、第１及び第２光検出器５４、５６は、共に、固定光学部２６内の光学系の光軸（光源５２からのレーザビームの光軸、及び光ディスクからの反射レーザビームの光軸）を含む面と平行な平面（本実施の形態では同一水平面）内で互いに直角な２軸方向において位置調節可能となる。ここで、２軸方向は、固定光学部２６内の反射レーザビームの光軸と平行なＺ方向と、同光軸と直角な平面内の１つのＸ方向とからなる。この様な構成により、第１及び第２光検出器５４、５６の位置調節を、同じ方向（本実施の形態においては上側）からアクセスすることにより行うことができ、作業性が向上する。
【００５１】
上述のＺ、Ｘの２軸方向に加え、トラッキング制御を行うための第１光検出器（トラックＰＤ）５４及びモニタ光検出器６６は、更に、第３の軸方向即ちＹ方向の位置を調節するため、調節ねじ部材等の公知の構造を内蔵する。また、フォーカシング制御を行うための第２光検出器（フォーカスＰＤ）５６に関しては、２軸方向のみの位置調節による弊害をなくすため、下記のような条件を満足するように設定される。
【００５２】
即ち、図２（ｂ）図示の如く、第２光検出器５６においては、上側検出面Ａ１の垂直基準線ＦＶに沿った２つのビーム部分ＢＰ１、ＢＰ２間の距離ｄ１は、垂直基準線ＦＶに沿った上側検出面Ａ１の長さＤの約１／２に設定される。換言すると、ホログラム回折プレート６８に入射する反射光ビームの光軸と平行な第Ｚ方向に対してビーム部分ＢＰ１、ＢＰ２がなす角度を夫々θ１、θ２とし、Ｚ方向におけるホログラム回折プレート６８と第２光検出器５６の上側検出面Ａ１との間の距離をＬとした時、Ｌ×ｔａｎ（θ１−θ２）で得られる値が、垂直基準線ＦＶに沿った上側検出面Ａ１の長さＤの約１／２に設定される。
【００５３】
また、Ｄ／２は、第２光検出器５６の取付け公差と光軸公差とを足した値よりも十分に大きくなるように設定される。
この様な条件設定を行うことにより、第２光検出器（フォーカスＰＤ）５６のＹ方向における位置ずれに対するマージンが大きくなり、Ｚ、Ｘ方向の２軸方向のみの位置調節による弊害は実質的になくなる。従って、第２光検出器５６を２軸方向のみで十分な位置決め設定ができるようになり、位置調節作業時間が短縮されると共に、位置調節後に温度等の条件が変化しても、第２光検出器５６の位置ずれが生じにくくなる。
【００５４】
なお、図示の実施の形態においては、波面分割光学素子として、ホログラム回折プレート６８を使用している。しかし、反射レーザビームを、第２光検出器５６の垂直基準線ＦＶに沿って、第１及び第２領域５６ａ、５６ｂに対応する第１ビーム部分と、第３及び第４領域５６ｃ、５６ｄに対応する第２ビーム部分とに分割する機能は、２つのプリズムを組合わせたものや、２つの平行平板ガラスを組合わせたもの等、他の種々な光学素子によっても得ることができる。即ち、波面分割光学素子という概念には、この様な機能を果たす全ての光学素子が包含される。
【００５５】
以上、本発明を添付の図面に示す実施の形態を参照して述べたが、本発明は、その思想の範囲において、図示の実施の形態以外の種々態様で実施することが可能である。
【００５６】
【発明の効果】
本発明によれば、フォーカスＰＤ（フォーカシング制御を行うための光検出器）を２軸方向のみで位置調節するため、位置調整に必要な作業時間が短縮されると共に、位置調節後にフォーカスＰＤの位置ずれが生じにくくなる。
【００５７】
また、フォーカスＰＤとトラックＰＤ（トラッキング制御を行うための光検出器）とを、同じ方向からアクセスして位置調節をすることができるようになるため、作業性が向上する。
【００５８】
更に、フォーカスＰＤの検出面の位置や寸法を、波面分割光学素子により得られる第１及び第２ビーム部分間の距離等に対して条件設定することにより、位置調整しない残りの１軸方向におけるフォーカスＰＤの位置ずれに対するマージンが大きくなり、２軸方向のみの位置調節による弊害は実質的になくなる。
従って、本発明によれば、操作性が良好で且つ信頼性の高い光ディスクプレーヤの光ヘッド装置を提供することが可能となる。
【図面の簡単な説明】
【図１】本発明の実施の形態に係る光ヘッド装置の平面と、同光ヘッド装置を有し、光ディスクに対して情報の再生及び記録処理を行うための光ディスクプレーヤの信号処理部とを組合わせて示す図。
【図２】（ａ）は図１図示の光ヘッド装置の縦断側面図、（ｂ）は第２光検出器とホログラム回折プレートとの関係を示す拡大図。
【図３】（ａ）は第１光検出器の検出面を示す正面図、（ｂ）は第１光検出器からトラッキング制御回路に供給される電気信号の流れを示す概略図。
【図４】（ａ）はホログラム回折プレートのホログラムパターンと反射レーザビームとの関係を示す正面図、（ｂ）は第２光検出器の受光面を示す正面図、（ｃ）は第２光検出器からフォーカシング制御回路に供給される電気信号の流れを示す概略図。
【符号の説明】
１１…信号処理部、２２…光ヘッド装置、２４…ピックアップ（可動光学部）、２６…固定光学部、３０…立上げミラー、３２…対物レンズ、３９…ガイド、４２…ケーシング、４３…ケーシング本体、４４…回路基板、４５…固定ねじ、４６…ホルダ、４７…固定ねじ、４８…フレキシブル回路基板、５２…光源、５４…第１光検出器、５６…第２光検出器、５８…偏光ビームスプリッタユニット、６０…コリメータレンズ、６２…１／４波長板、６４…ハーフミラー、６６…モニタ光検出器、６８…ホログラム回折プレート（波面分割光学素子）。
【図１】
0003842364.tif 000002
【図２】
0003842364.tif 000003
【図３】
0003842364.tif 000004
【図４】
0003842364.tif 000005